(57)【特許請求の範囲】
【請求項１】
ワイヤレス通信ユーザ機器（ＵＥ）デバイスにおいて性能テストするための方法であって、
前記ＵＥにおける２つ以上のデータチャネルの受信がテストされるべきであることを示すテストアクティブ化メッセージを受信することと、
前記テストアクティブ化メッセージの受信に応答してテストモードを開始することと、
前記２つ以上のデータチャネルを受信することと、
チャネルごとに、前記受信された２つ以上のデータチャネルから、受信されたトランスポートブロック（ＴＢ）または受信されたサービスデータユニット（ＳＤＵ）のうちの１つまたは複数に基づいて１つまたは複数の性能メトリックを決定することと、
チャネルごとに、前記決定された性能メトリックのうちの１つまたは複数を報告することと
を備え、
ここにおいて、前記テストモードを開始することが、前記関連する１つまたは複数のデータチャネル上で正常に受信されたトランスポートブロックまたはＳＤＵのカウントを維持するための２つ以上のカウンタを開始することを備え、ここにおいて、前記２つ以上のカウンタが、
第１のデータチャネルに関連付けられた第１の複数のカウンタと、前記第１の複数のカウンタの各カウンタが、プロセス識別情報によってインデックスが付けられる、
１つまたは複数の他のデータチャネルに関連付けられた少なくとも第２のカウンタと
を備える、
方法。
【請求項２】
前記受信されたＳＤＵが、媒体アクセス制御（ＭＡＣ）ＳＤＵ、無線リンク制御（ＲＬＣ）ＳＤＵ、またはパケットデータコンバージェンスプロトコル（ＰＤＣＰ）ＳＤＵのうちの１つもしくは複数を備える、請求項１に記載の方法。
【請求項３】
前記テストアクティブ化メッセージが、２つ以上のデバイス間（Ｄ２Ｄ）チャネルの前記テストモードを開始するためのＤ２Ｄテストアクティブ化メッセージである、請求項２に記載の方法。
【請求項４】
前記２つ以上のＤ２Ｄチャネルが、物理サイドリンク発見チャネル（ＰＳＤＣＨ）、物理サイドリンク共有チャネル（ＰＳＳＣＨ）、物理サイドリンク制御チャネル（ＰＳＣＣＨ）、または物理サイドリンクブロードキャストチャネル（ＰＳＢＣＨ）のうちの２つ以上を備え、
前記２つ以上のＤ２Ｄチャネルが、Ｄ２Ｄデバイスの発見に関連付けられた少なくとも第１のデータチャネルと、Ｄ２Ｄデバイスとの通信に関連付けられた少なくとも第２のデータチャネルとを備える、請求項３に記載の方法。
【請求項５】
前記テストアクティブ化メッセージが、前記ＵＥに結合されたテストシステムから受信される、請求項１に記載の方法。
【請求項６】
前記第１の複数のカウンタの数が、前記ＵＥによってサポートされる同時発見プロセスの最大数に対応する、請求項１に記載の方法。
【請求項７】
前記第１の複数のカウンタが、各同時発見プロセスに関連付けられたコードによってインデックスが付けられる、請求項６に記載の方法。
【請求項８】
前記第１の複数のカウンタの数が、前記ＵＥによってサポートされる同時物理サイドリンク制御チャネル（ＰＳＣＣＨ）プロセスの最大数に対応する、請求項１に記載の方法。
【請求項９】
前記第１の複数のカウンタが、Ｄ２Ｄデバイスの論理グループの識別情報によってインデックスが付けられる、請求項８に記載の方法。
【請求項１０】
前記第１の複数のカウンタの数が、前記ＵＥによってサポートされる同時物理サイドリンク共有チャネル（ＰＳＳＣＨ）プロセスの最大数に対応する、請求項１に記載の方法。
【請求項１１】
前記第１の複数のカウンタが、ＰＳＳＣＨソースのソース識別情報、ＰＳＳＣＨ宛先の宛先識別情報、または論理チャネル識別情報（ＬＣＩＤ）のうちの１つまたは複数によってインデックスが付けられる、請求項１０に記載の方法。
【請求項１２】
前記第２のカウンタが、物理サイドリンクブロードキャストチャネル（ＰＳＢＣＨ）に関連付けられる、請求項１に記載の方法。
【請求項１３】
１つまたは複数の性能メトリックを前記決定することが、
前記第１のデータチャネル上の各それぞれのプロセスに関連付けられた正常に受信されたトランスポートブロックまたはＳＤＵごとに、前記それぞれのプロセスに関連付けられた前記第１の複数のカウンタのカウンタをインクリメントすること
を備える、請求項１に記載の方法。
【請求項１４】
前記性能メトリックのうちの１つまたは複数を報告することが、
前記２つ以上のカウンタのうちの前記第１の複数のカウンタの要求されたカウンタについてのカウンタ情報を報告する要求を受信することと、
前記報告する要求の受信に応答してカウンタ情報の報告を送信することと、前記カウンタ情報の前記報告が、前記要求されたカウンタに関連付けられた前記第１の複数のカウンタの各々についての情報と、前記第１の複数のカウンタのカウンタと前記プロセス識別情報との間のマッピングとを備える、
を備える、請求項１に記載の方法。
【請求項１５】
ワイヤレス通信ユーザ機器（ＵＥ）デバイスを性能テストするための装置であって、
プロセッサと、
前記プロセッサと電子通信しているメモリと、
前記メモリに記憶された命令とを備え、ここにおいて、前記命令が、前記プロセッサによって、請求項１〜請求項１４のうちのいずれか一項に記載の方法を実行するために実行可能である、
装置。
【請求項１６】
ワイヤレス通信ユーザ機器（ＵＥ）デバイスを性能テストするためのコードを記憶する非一時的コンピュータ可読媒体であって、前記コードが、請求項１〜請求項１４のうちのいずれか一項に記載の方法を実行するために実行可能である命令を備える、
非一時的コンピュータ可読媒体。
【発明の詳細な説明】
【技術分野】
【０００１】
相互参照
[0001]本特許出願は、各々が本出願の譲受人に譲渡された、２０１６年２月１２日に出願された、「Ｕｓｅｒ  Ｅｑｕｉｐｍｅｎｔ  Ｔｅｓｔｉｎｇ  Ｔｅｃｈｎｉｑｕｅｓ  ｆｏｒ  Ｄｅｖｉｃｅ−Ｔｏ−Ｄｅｖｉｃｅ  Ｔｒａｎｓｍｉｓｓｉｏｎ  Ｃｈａｎｎｅｌｓ」と題する、Ｇｕｌａｔｉらによる米国特許出願第１５／０４２，３４８号、および２０１５年３月６日に出願された、「Ｕｓｅｒ  Ｅｑｕｉｐｍｅｎｔ  Ｔｅｓｔｉｎｇ  Ｔｅｃｈｎｉｑｕｅｓ  ｆｏｒ  Ｄｅｖｉｃｅ−Ｔｏ−Ｄｅｖｉｃｅ  Ｔｒａｎｓｍｉｓｓｉｏｎ  Ｃｈａｎｎｅｌｓ」と題する、Ｇｕｌａｔｉらによる米国仮特許出願第６２／１２９，６０３号の優先権を主張する。
【０００２】
[0002]本開示は、たとえば、ワイヤレス通信システムに関し、より詳細には、デバイス間（Ｄ２Ｄ）送信チャネルのための機器テスト技法に関する。
【背景技術】
【０００３】
[0003]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。一般に、ワイヤレス多元接続通信システムは、各々が複数のユーザデバイスのための通信を同時にサポートする、いくつかの基地局を含む場合がある。基地局は、ダウンストリームリンクおよびアップストリームリンク上でデバイスと通信し得る。各基地局は、基地局またはセルのカバレージエリアと呼ばれる場合があるカバレージ範囲を有する。
【０００４】
[0004]互いに近接するデバイス（すなわち、ユーザ機器（ＵＥ））はまた、デバイス間（Ｄ２Ｄ）通信または近接度ベースのサービス（ＰｒｏＳｅ）通信を介して、直接通信し得る。ＰｒｏＳｅ仕様によれば、ＵＥにおけるＰｒｏＳｅチャネルの受信に対応するフィードバック（たとえば、ハイブリッド自動再送要求（ＨＡＲＱ）肯定応答／否定応答（ＡＣＫ／ＮＡＣＫ）フィードバックなど）はない。したがって、ＵＥ適合性テストのために、ＰｒｏＳｅチャネルのＵＥ受信機性能を測定し、ＵＥ受信機性能の適切な機能を確認するための追加の手順が必要である。
【発明の概要】
【０００５】
[0005]記載される特徴は、一般に、Ｄ２Ｄ対応ＵＥのためのＵＥ機器テストのための１つまたは複数の改善された方法、システム、または装置に関する。改善された方法は、チャネルごとに、受信された１つまたは複数のデータチャネルから受信されたトランスポートブロック（ＴＢ）または受信されたサービスデータユニット（ＳＤＵ）のうちの１つまたは複数に基づいて性能メトリックを決定することと、チャネルごとに、決定された性能メトリックを報告することとを含む。いくつかの例では、性能メトリックは、チャネルで正常に受信されたＴＢまたはＳＤＵの数のカウントを含み得る。
【０００６】
[0006]ワイヤレスデバイスにおけるワイヤレス通信の方法について説明する。この方法は、ＵＥにおいて１つまたは複数のデータチャネルの受信がテストされるべきであることを示すテストアクティブ化メッセージを受信することと、テストアクティブ化メッセージの受信に応答してテストモードを開始することと、１つまたは複数のデータチャネルを受信することと、チャネルごとに、受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定することと、チャネルごとに、決定された性能メトリックのうちの１つまたは複数を報告することとを含み得る。
【０００７】
[0007]ワイヤレスデバイスにおけるワイヤレス通信のための装置について説明する。この装置は、ＵＥにおいて１つまたは複数のデータチャネルの受信がテストされるべきであることを示すテストアクティブ化メッセージを受信するための手段と、テストアクティブ化メッセージの受信に応答してテストモードを開始するための手段と、１つまたは複数のデータチャネルを受信するための手段と、チャネルごとに、受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定するための手段と、チャネルごとに、決定された性能メトリックのうちの１つまたは複数を報告するための手段とを含み得る。
【０００８】
[0008]ワイヤレスデバイスにおけるワイヤレス通信のためのさらなる装置について説明する。装置は、プロセッサと、プロセッサと電子通信するメモリと、メモリに記憶された命令とを含み、命令は、プロセッサによって、ＵＥにおいて１つまたは複数のデータチャネルの受信がテストされるべきであることを示すテストアクティブ化メッセージを受信し、テストアクティブ化メッセージの受信に応答してテストモードを開始し、１つまたは複数のデータチャネルを受信し、チャネルごとに、受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定し、チャネルごとに、決定された性能メトリックのうちの１つまたは複数を報告するために実行可能である。
【０００９】
[0009]ワイヤレスデバイスにおけるワイヤレス通信のためのコードを記憶する非一時的コンピュータ可読媒体について説明する。コードは、ＵＥにおいて１つまたは複数のデータチャネルの受信がテストされるべきであることを示すテストアクティブ化メッセージを受信し、テストアクティブ化メッセージの受信に応答してテストモードを開始し、１つまたは複数のデータチャネルを受信し、チャネルごとに、受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定し、チャネルごとに、決定された性能メトリックのうちの１つまたは複数を報告するために実行可能である命令を含み得る。
【００１０】
[0010]上記の方法、装置、または非一時的コンピュータ可読媒体のいくつかの例では、受信されたＳＤＵは、媒体アクセス制御（ＭＡＣ）ＳＤＵ、無線リンク制御（ＲＬＣ）ＳＤＵ、またはパケットデータコンバージェンスプロトコル（ＰＤＣＰ）ＳＤＵのうちの１つまたは複数を備える。追加または代替として、いくつかの例では、テストアクティブ化メッセージは、１つまたは複数のデバイス間（Ｄ２Ｄ）チャネルのテストモードを開始するためのＤ２Ｄテストアクティブ化メッセージである。
【００１１】
[0011]上記の方法、装置、または非一時的コンピュータ可読媒体のいくつかの例では、１つまたは複数のＤ２Ｄチャネルは、物理サイドリンク発見チャネル（ＰＳＤＣＨ）、物理サイドリンク共有チャネル（ＰＳＳＣＨ）、物理サイドリンク制御チャネル（ＰＳＣＣＨ）、または物理サイドリンクブロードキャストチャネル（ＰＳＢＣＨ）のうちの１つまたは複数を備える。追加または代替として、いくつかの例では、１つまたは複数のデータチャネルは、Ｄ２Ｄデバイスの発見に関連付けられた少なくとも第１のデータチャネルと、Ｄ２Ｄデバイスとの通信に関連付けられた少なくとも第２のデータチャネルとを備える。
【００１２】
[0012]上記で説明した方法、装置、または非一時的コンピュータ可読媒体のいくつかの例では、テストアクティブ化メッセージは、ＵＥに結合されたテストシステムから受信される。追加または代替として、いくつかの例では、テストモードを開始することは、データチャネルのうちの１つまたは複数に各々関連付けられた１つまたは複数のカウンタを開始することを備え、１つまたは複数のカウンタは、関連する１つまたは複数のデータチャネル上で正常に受信されたトランスポートブロックまたはＳＤＵのカウントを維持するためのものである。
【００１３】
[0013]上記で説明した方法、装置、または非一時的コンピュータ可読媒体のいくつかの例では、１つまたは複数のカウンタは、２つ以上のデータチャネルの各々について複数の別々のカウンタを備える。追加または代替として、いくつかの例では、１つまたは複数のカウンタは、第１のデータチャネルに関連付けられた第１の複数のカウンタと、第１の複数のカウンタがプロセス識別情報によってインデックスが付けられ、１つまたは複数の他のデータチャネルに関連付けられた少なくとも第２のカウンタとを備える。
【００１４】
[0014]上記で説明した方法、装置、または非一時的コンピュータ可読媒体のいくつかの例では、第１の複数のカウンタの数は、ＵＥによってサポートされる同時発見プロセスの最大数に対応する。追加または代替として、いくつかの例では、第１の複数のカウンタは、各同時発見プロセスに関連付けられたコードによってインデックスが付けられる。
【００１５】
[0015]上記で説明した方法、装置、または非一時的コンピュータ可読媒体のいくつかの例では、第１の複数のカウンタの数は、ＵＥによってサポートされる同時物理サイドリンク制御チャネル（ＰＳＣＣＨ）プロセスの最大数に対応する。追加または代替として、いくつかの例では、第１の複数のカウンタは、Ｄ２Ｄデバイスの論理グループの識別情報によってインデックスが付けられる。
【００１６】
[0016]上記で説明した方法、装置、または非一時的コンピュータ可読媒体のいくつかの例では、第１の複数のカウンタの数は、ＵＥによってサポートされる同時物理サイドリンク共有チャネル（ＰＳＳＣＨ）プロセスの最大数に対応する。追加または代替として、いくつかの例では、第１の複数のカウンタは、ＰＳＳＣＨソースのソース識別情報、ＰＳＳＣＨ宛先の宛先識別情報、または論理チャネル識別情報（ＬＣＩＤ）のうちの１つまたは複数によってインデックスが付けられる。
【００１７】
[0017]上記で説明した方法、装置、または非一時的コンピュータ可読媒体のいくつかの例では、第２のカウンタは、物理サイドリンクブロードキャストチャネル（ＰＳＢＣＨ）に関連付けられる。追加または代替として、いくつかの例では、１つまたは複数の性能メトリックを決定することは、関連するデータチャネル上の正常に受信されたトランスポートブロックまたはＳＤＵごとに、各それぞれのデータチャネルに関連付けられた１つまたは複数のカウンタのカウンタをインクリメントすることを備える。
【００１８】
[0018]上記で説明した方法、装置、または非一時的コンピュータ可読媒体のいくつかの例では、性能メトリックのうちの１つまたは複数を報告することは、１つまたは複数のカウンタのうちの要求されたカウンタのカウンタ情報を報告する要求を受信することと、報告する要求の受信に応答してカウンタ情報の報告を送信することとを備える。追加または代替として、いくつかの例では、カウンタ情報の報告は、要求されたカウンタに関連付けられた第１の複数のカウンタの各々についての情報と、第１の複数のカウンタのカウンタとプロセス識別情報との間のマッピングとを備える。
【００１９】
[0019]上記は、以下の発明を実施するための形態がより良く理解され得るように、本開示による例の特徴および技術的利点についてやや広く概説した。以下で、追加の特徴および利点が説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のみの目的で与えられるものであり、特許請求の範囲の制限の定義として与えられるものではない。
【００２０】
[0020]本発明の本質および利点のさらなる理解は、以下の図面を参照することによって実現され得る。添付の図において、同様のコンポーネントまたは特徴は、同じ参照ラベルを有し得る。さらに、同じタイプの様々なコンポーネントは、参照ラベルの後に、ダッシュと、それらの同様のコンポーネントを区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００２１】
【図１】[0021]本開示の様々な態様による、ワイヤレス通信システムの一例のブロック図。
【図２】[0022]本開示の様々な態様による、Ｄ２Ｄ発見および通信のためのシステムの一例のブロック図。
【図３】[0023]本開示の様々な態様によるＵＥおよびテストシステムのブロック図。
【図４】[0024]本開示の様々な態様によるＵＥおよびテストシステムのより詳細なブロック図。
【図５】[0025]本開示の様々な態様による、ワイヤレス通信における使用のために構成されたデバイスのブロック図。
【図６】[0026]本開示の様々な態様による、ワイヤレス通信において使用するために構成された別のデバイスのブロック図。
【図７】[0027]本開示の様々な態様による、ワイヤレス通信において使用するために構成された別のデバイスのブロック図。
【図８】[0028]本開示の様々な態様によるワイヤレス通信システムのブロック図。
【図９】[0029]本開示の様々な態様による、ＵＥをテストするための方法の一例を示すフローチャート。
【図１０】[0030]本開示の様々な態様による、ＵＥをテストするための方法の一例を示すフローチャート。
【発明を実施するための形態】
【００２２】
[0031]通常、デバイス（たとえば、ユーザ機器（ＵＥ））は、ワイヤレス通信システムの基地局と通信することによってワイヤレス通信に関与する。しかしながら、これらのデバイスは、直接Ｄ２ＤまたはＰｒｏＳｅワイヤレス通信に参加し得る。Ｄ２Ｄ発見により、互いの範囲内にあるＵＥが、基地局を通して通信する代わりに、互いに直接通信することが可能になる。Ｄ２Ｄワイヤレス通信が望ましいときの一例は、ＵＥが極めて近接する他のＵＥと通信セッションをもとうとするか、または同じ位置にある他のＵＥにちょうど見えるときである。ＵＥは、ロングタームエボリューション（ＬＴＥ（登録商標））システムにおける直接ピア発見信号などのＤ２Ｄ発見告知をブロードキャストし得、次いで、Ｄ２Ｄ発見告知は、そのような発見通信を監視している近傍のＵＥによって受信され得る。告知ＵＥは、オーバージエア（ＯＴＡ）発見告知メッセージ内にＤ２Ｄ発見アプリケーションコードなどのコードを含め得る。Ｄ２Ｄ発見アプリケーションコードは、告知ＵＥの望ましい意図または機能を示し得る。監視ＵＥは、そのＤ２Ｄ発見アプリケーションコードを有するＤ２Ｄ発見告知を受信し得、次いで、監視ＵＥが告知ＵＥとのＤ２Ｄ通信に参加することに応じられるかどうかを決定することができる。発見関連の通信は、物理サイドリンク発見チャネル（ＰＳＤＣＨ）を使用して送信される。
【００２３】
[0032]他の直接Ｄ２ＤまたはＰｒｏＳｅワイヤレス通信は、Ｄ２Ｄデバイスがデータの送信を介して直接通信し得る通信チャネルを含み得る。直接通信は、物理サイドリンク共有チャネル（ＰＳＳＣＨ）または物理サイドリンク制御チャネル（ＰＳＣＣＨ）を使用して送信され得る。さらに、同期は、物理サイドリンクブロードキャストチャネル（ＰＳＢＣＨ）上の送信を介して実行され得る。
【００２４】
[0033]ＰｒｏＳｅ直接発見では、サポートされる同時ＰｒｏＳｅ直接発見プロセスの最大数は、５０または４００のいずれかの値でＵＥ能力として（たとえば、ｄｉｓｃＳｕｐｐｏｒｔｅｄＰｒｏｃ値を報告することにより）ＵＥによって示され得る。ＰｒｏＳｅ直接通信では、いくつかの配置に応じて、サポートされる同時ＰｒｏＳｅ直接通信プロセスの最大数は１６である。上述のように、言及したＤ２Ｄ通信チャネルを使用する通信は、既存の仕様によれば、通信が適切に受信されたことを検証するためのいかなるフィードバック機構（たとえば、ＨＡＲＱ  ＡＣＫ／ＮＡＣＫフィードバック）も使用しない。したがって、規格（たとえば、３ＧＰＰ（登録商標）  ＴＳ  ３６．５０９）は、ＵＥ受信機の適切な動作を検証するための適合性テストの目的で、新しい物理インターフェースを導入することなく、無線インターフェースを介してＵＥの分離された機能へのアクセスを提供するためにＵＥテストループ機能が実施されることを指定し得る。本開示の様々な態様は、Ｄ２Ｄ通信チャネルの効率的でコスト効果的な適合性テストを提供するＤ２Ｄ通信チャネルのテストのための技法を提供する。
【００２５】
[0034]本開示の態様によれば、ＵＥは、テストモードに入り、テスト機器から受信され得る１つまたは複数のＤ２Ｄ通信チャネルについて、受信されたトランスポートブロック（ＴＢ）、受信されたサービスデータユニット（ＳＤＵ）、またはその両方に基づいて性能メトリックを決定し得る。これらの性能メトリックは、チャネルごとに報告され得、テスト機器は、Ｄ２Ｄ通信に関してＵＥの適切な動作を検証し得る。いくつかの例では、性能メトリックは、チャネルで正常に受信されたＴＢまたはＳＤＵの数のカウントを含み得る。いくつかの例では、１つまたは複数のカウンタが各Ｄ２Ｄ通信チャネルに関連付けられてもよく、さらなる例では、いくつかのＤ２Ｄチャネル（たとえば、ＰＳＤＣＨ、ＰＳＣＣＨ、またはＰＳＳＣＨ）は各々、各チャネルに関連付けられた別々のプロセスに関連付けられ得る複数のカウンタを有し得る。たとえば、ＰＳＤＣＨチャネルの場合、ＵＥは、ＵＥによってサポートされる同時ＰｒｏＳｅ直接発見プロセスの最大数の各々について別々のカウンタを提供し得、カウンタは、プロセスごとにプロセス識別情報によってインデックスが付けられ得る。同様のカウンタの組が、複数の別々のプロセスをサポートし得るＰＳＣＣＨまたはＰＳＳＣＨなどの他のチャネルに提供され得る。
【００２６】
[0035]最初に図１を参照すると、図に、ワイヤレス通信システム１００の一例を示す。ワイヤレス通信システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介してコアネットワーク１３０と制御情報またはユーザデータを通信し得る。実施形態では、基地局１０５は、有線またはワイヤレス通信リンクであり得るバックホールリンク１３４を通じて、直接または間接的に、互いに通信し得る。システム１００は、複数のキャリア（異なる周波数の波形信号）上での動作をサポートし得る。マルチキャリア送信機は、複数のキャリア上で同時に変調された信号を送信し得る。たとえば、各通信リンク１２５は、上で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２７】
[0036]基地局１０５は、１つまたは複数の基地局アンテナを介して、ＵＥ１１５とワイヤレス通信し得る。基地局１０５の場所の各々は、それぞれのカバレージエリア１１０に通信カバレージを提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、またはピコ基地局）を含み得る。異なる技術のための重複するカバレージエリアがあり得る。
【００２８】
[0037]実施形態では、システム１００はＬＴＥ／ＬＴＥ−Ａネットワークである。ＬＴＥ／ＬＴＥ−Ａネットワークでは、ｅｖｏｌｖｅｄ  Ｎｏｄｅ  Ｂ（ｅＮＢ）およびユーザ機器（ＵＥ）という用語は一般に、それぞれ基地局１０５およびＵＥ１１５を表すために使用され得る。システム１００は、異なるタイプの基地局がその中で様々な地理的領域にカバレージを与える、異種ＬＴＥ／ＬＴＥ−Ａネットワークであり得る。たとえば、各基地局１０５は、マクロセル、ピコセル、フェムトセル、または他のタイプのセルに通信カバレージを与え得る。マクロセルは一般に、比較的大きい地理的エリア（たとえば、半径数キロメートル）をカバーし、サービスに加入しているＵＥによるネットワークプロバイダとの無制限アクセスを可能にし得る。ピコセルは一般に、比較的小さい地理的エリアをカバーし、ネットワークプロバイダのサービスに加入しているＵＥによる無制限アクセスを可能にし得る。また、フェムトセルは、一般に、比較的小さい地理的エリア（たとえば、自宅）をカバーすることになり、無制限アクセスに加えて、フェムトセルと関連するＵＥ（たとえば、限定加入者グループ（ＣＳＧ）内のＵＥ、自宅内のユーザ用のＵＥなど）による制限付きアクセスも提供し得る。マクロセル用の基地局は、たとえば、マクロｅＮＢと呼ばれる場合がある。ピコセル用の基地局はピコｅＮＢと呼ばれる場合がある。また、フェムトセル用の基地局は、フェムトｅＮＢまたはホームｅＮＢと呼ばれる場合がある。基地局は、１つまたは複数（たとえば、２つ、３つ、４つなど）のセルをサポートし得る。
【００２９】
[0038]コアネットワーク１３０は、バックホールリンク１３２（たとえば、Ｓ１など）を介して基地局１０５と通信し得る。基地局１０５はまた、たとえば、バックホールリンク１３４（たとえば、Ｘ２など）を介して、またはバックホールリンク１３２を介して（たとえば、コアネットワーク１３０を通して）、直接的または間接的に互いに通信し得る。ワイヤレス通信システム１００は、同期動作または非同期動作をサポートし得る。同期動作の場合、基地局は同様のフレームタイミングを有し得、異なる基地局からの送信はほぼ時間的に整列され得る。非同期動作の場合、基地局は異なるフレームタイミングを有し得、異なる基地局からの送信は時間的に整列されない場合がある。本明細書で説明する技法は、同期動作または非同期動作のいずれかに対して使用され得る。
【００３０】
[0039]基地局１０５はまた、ＵＥ１１５に情報とコマンドとを通信し得る。たとえば、ＵＥ１１５が基地局１０５との接続モードに入ると、基地局１０５およびＵＥ１１５は相互に互いを認証する。認証されると、基地局１０５は、ＵＥ１１５に情報を確実に通信し得る。基地局１０５からＵＥ１１５に通信され得る情報の中に、ＵＥ１１５が基地局１０５（およびワイヤレス通信システム１００内の他のデバイス）と完全に同期され得るように、現在時刻または何らかの他のタイミング変数に関する情報がある。下記の実施形態においてさらに説明されるように、現在時刻または他のタイミング変数は、Ｄ２Ｄ発見メッセージの認証中にＵＥ１１５によって使用され得る。
【００３１】
[0040]ＵＥ１１５はワイヤレス通信システム１００全体にわたって分散され、各ＵＥは固定式または移動式であり得る。ＵＥ１１５は、当業者により、ユーザデバイス、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、リレー、または何らかの他の適切な用語で呼ばれる場合もある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。ＵＥ１１５−ａはまた、Ｄ２Ｄワイヤレス通信を介して別のＵＥ１１５と直接通信し得る。一例では、基地局１０５のカバレージエリア１１０−ａ内のＵＥ１１５−ａ−１は、基地局１０５のカバレージエリア１１０−ａの外部にあるＵＥ１１５−ａ−２のためのリレーとして働き得る。カバレージ内のＵＥ１１５−ａ−１は、基地局１０５からカバレージ外のＵＥ１１５−ａ−２への通信を中継（または再送信）し得る。同様に、カバレージ内のＵＥ１１５−ａ−１は、カバレージ外のＵＥ１１５−ａ−２から基地局１０５への通信を中継し得る。加えて、Ｄ２Ｄワイヤレス通信は、各々がカバレージ内であるＵＥ１１５間で発生する場合があり、多くの様々な理由で発生する場合がある。したがって、カバレージ内のＵＥ１１５−ａ−１は、カバレージ内のＵＥ１１５−ａ−３とのＤ２Ｄワイヤレス通信に参加し得る。ＵＥ１１５−ａ−３も、ＵＥ１１５−ａ−２とのＤ２Ｄワイヤレス通信に参加し得る。上述のように、データは、ＰＳＳＣＨおよびＰＳＣＣＨ送信を介してＤ２Ｄ対応ＵＥ１１５−ａ−１〜１１５−ａ−３の間で送信され得、Ｄ２Ｄ対応ＵＥ１１５−ａ−１〜１１５−ａ−３の同期は、ＰＳＢＣＨ通信を介して確立され得る。
【００３２】
[0041]ＵＥ１１５がＤ２Ｄワイヤレス通信に参加するために、ＵＥ１１５は最初にＤ２Ｄ発見に関与し得る。Ｄ２Ｄ発見により、ＵＥ１１５がＤ２Ｄ通信に参加することが可能な他のＵＥを発見することが可能になる。Ｄ２Ｄ発見は、Ｄ２Ｄ発見告知をブロードキャストする告知ＵＥと、Ｄ２Ｄ発見告知を監視する監視ＵＥとを含む。監視ＵＥは、Ｄ２Ｄ発見告知を受信し得、次いで応答し、告知ＵＥとのＤ２Ｄワイヤレス通信に参加し得る。説明したように、Ｄ２Ｄ対応ＵＥ１１５の発見は、ＰＳＤＣＨ通信を介して行われ得る。
【００３３】
[0042]ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は、順方向リンク送信と呼ばれることもあり、アップリンク送信は、逆方向リンク送信と呼ばれることもある。通信リンク１２５は、ＵＥ１１５間で交換される（Ｄ２Ｄ発見メッセージを含む）Ｄ２Ｄメッセージを含む場合もある。
【００３４】
[0043]図２は、Ｄ２Ｄ対応デバイスを含み得るワイヤレス通信システム２００の一例のブロック図である。図２のシステム２００は、図１に関して説明したワイヤレス通信システム１００の一例であり得る。一構成では、基地局１０５−ａ−１は、基地局１０５−ａ−１のカバレージエリア１１０−ｂ−１内に入る１つまたは複数のデバイスと通信し得る。カバレージ内のＵＥ１１５−ｂ−１は、基地局１０５−ａ−１から通信を受信し、基地局１０５−ａ−１に通信を送信し得る。１つまたは複数のＵＥ１１５−ｂ−２、ＵＥ１１５−ｂ−３、ＵＥ１１５−ｂ−４は、基地局１０５−ａ−１のカバレージエリア１１０−ｂ−１の外部にあり得るし、Ｄ２Ｄ通信に参加し得る。他のＵＥ１１５−ｂ−５は、基地局１０５−ａ−１のカバレージエリア１１０−ｂ−１内にあり得るが、Ｄ２Ｄ通信に参加することもできる。ＵＥ１１５−ｂ−２、ＵＥ１１５−ｂ−３はまた、異なる基地局１０５−ａ−２のカバレージエリア１１０−ｂ−２内にあり得るし、基地局１０５−ａ−２と通信している場合がある。基地局１０５−ａおよびＵＥ１１５−ｂは、図１を参照して記載された基地局１０５およびＵＥ１１５の例であり得る。
【００３５】
[0044]一実施形態では、カバレージ内のＵＥ１１５−ｂ−１は、通信リンク１２５を介してＤ２Ｄ発見信号をブロードキャスト、マルチキャスト、またはユニキャストし得る。信号は、カバレージ内またはカバレージ外のいずれかにある１つまたは複数のＵＥに送られ得る。Ｄ２Ｄ発見信号は、Ｄ２Ｄ発見告知メッセージであり得る。Ｄ２Ｄ発見告知メッセージは、たとえば、カバレージ内のＵＥ１１５−ｂ−１の識別子を示し得る。たとえば、識別子は、カバレージ内のＵＥ１１５−ｂ−１の媒体アクセス制御（ＭＡＣ）アドレスであり得る。加えて、Ｄ２Ｄ発見信号は、ＵＥ１１５−ｂ−１のＤ２Ｄ発見アプリケーションコードを含み得る。
【００３６】
[0045]一構成では、カバレージ外のＵＥは、１つまたは複数のカバレージ内のＵＥ１１５−ｂ−１にＤ２Ｄ発見信号を送信し得る。ピア発見信号は、カバレージ外のＵＥがカバレージ外であるか、またはリレーサービスを要求中であることを示し得る。信号は、カバレージ外のＵＥの識別子を含み得る。一構成では、ＵＥは、基地局１０５−ａ−１のカバレージエリア１１０−ｂ−１の外に出ようとしていることを検知すると、Ｄ２Ｄ発見信号をブロードキャストし得る。別の実施形態では、ＵＥは、カバレージエリア１１０−ｂ−１の外にすでに出た後に信号をブロードキャストし得る。
【００３７】
[0046]さらなる例として、２つのカバレージ内のＵＥ１１５−ｂ−１、ＵＥ１１５−ｂ−５も、直接Ｄ２Ｄ接続を介して互いに通信し得る。この例では、ＵＥ１１５−ｂ−５は、ＵＥ１１５−ｂ−５に近接する他のＵＥとの直接Ｄ２Ｄ接続を要求する信号を送信し得る。ＵＥ１１５−ｂ−１は、要求を受信し、次いで、ＵＥ１１５−ｂ−５との直接Ｄ２Ｄ通信を開始し得る。さらなる例では、ＵＥ１１５−ｂ−２、ＵＥ１１５−ｂ−３は、各々、直接Ｄ２Ｄ接続を介してＵＥ１１５−ｂ−１と通信し得る。たとえば、ＵＥ１１５−ｂ−１は、ＵＥ１１５−ｂ−２、ＵＥ１１５−ｂ−３へのリレーとして働き得る。
【００３８】
[0047]ＵＥ１１５がＤ２Ｄワイヤレス通信に参加し得る前に、ＵＥ１１５は最初に認可され得る。認可は、コアネットワーク１３０−ａによって許可される。具体的には、コアネットワーク１３０−ａは、Ｄ２Ｄ通信を認可することが可能なネットワークＤ２Ｄ発見モジュール２１０を含み得る。ネットワークＤ２Ｄ発見モジュール２１０の一例は、ＰｒｏＳｅ機能である。ＵＥ１１５は、ＰＣ３インターフェースなどのワイヤレスインターフェース２１５を介して、ネットワークＤ２Ｄ発見モジュール２１０と通信することによって、Ｄ２Ｄ通信のための認可を要求し得る。ネットワークＤ２Ｄ発見モジュール２１０は、要求元のＵＥ１１５を認可することによって応答し得る。上記で説明したように、直接Ｄ２Ｄ通信は、物理サイドリンク共有チャネル（ＰＳＳＣＨ）または物理サイドリンク制御チャネル（ＰＳＣＣＨ）を使用して送信され得、同期は、物理サイドリンクブロードキャストチャネル（ＰＳＢＣＨ）上の送信を介して実行され得る。同時Ｄ２Ｄ接続の数は、ＵＥ１１５の能力に応じて変わり得、いくつかの例では、ＵＥ１１５は、ＵＥ１１５によってサポートされる同時ＰＳＳＣＨまたはＰＳＣＣＨプロセスの最大数を所定の最大数（たとえば１６）に制限し得る。
【００３９】
[0048]ＰＳＤＣＨを介したＰｒｏＳｅ直接発見では、ＵＥ１１５によってサポートされる同時の直接発見プロセスの最大数も所定の数とすることができ、いくつかの例では、５０または４００のいずれかの値で（たとえば、ｄｉｓｃＳｕｐｐｏｒｔｅｄＰｒｏｃ値を報告することにより）ＵＥ１１５によって指示され得る。上述のように、様々な説明したＤ２Ｄ通信チャネルを使用する通信は、既存の仕様によれば、通信が適切に受信されたことを検証するためのいかなるフィードバック機構（たとえば、ＨＡＲＱ  ＡＣＫ／ＮＡＣＫフィードバック）も使用しない。したがって、規格（たとえば、３ＧＰＰ  ＴＳ  ３６．５０９）は、ＵＥ受信機の適切な動作を検証するための適合性テストの目的で、新しい物理インターフェースを導入することなく、無線インターフェースを介してＵＥの分離された機能へのアクセスを提供するためにＵＥテストループ機能が実施されることを指定し得る。本開示の様々な態様は、Ｄ２Ｄ通信チャネルの効率的でコスト効果的な適合性テストを提供するＤ２Ｄ通信チャネルのテストのための技法を提供する。
【００４０】
[0049]次に図３を参照すると、ＵＥ１１５−ｃ受信機が異なるＤ２Ｄ通信チャネルを適切に受信し、処理することを検証するために、Ｄ２Ｄ対応ＵＥ１１５−ｃがテストされ得る、テストネットワーク３００の一例のブロック図が示されている。図３のテストネットワーク３００は、図１または図２に関して説明したワイヤレス通信システム１００または２００などのワイヤレス通信システムにおいてＵＥ１１５−ｃをテストし、適切な動作を検証するために実施され得る。ＵＥ１１５−ｃは、図１または図２のＵＥ１１５の一例であり得る。この例では、様々なＤ２Ｄ通信シナリオの動作をシミュレートするために、テストシステム３０５および物理ケーブル３１０を使用してＵＥ１１５−ｃがテストされ得る。上述のように、多くのＤ２Ｄチャネルは、通信の正常な受信を肯定応答するためのフィードバックを提供しないので、ＵＥ１１５−ｃの適合性のテストは、ワイヤレス通信システムに関連付けられた確立された規格によって指定され得る。この例では、テストシステム３０５は、物理ケーブル３１０を介してＵＥ１１５−ｃのための様々な使用シナリオをエミュレートし得、ＵＥ１１５−ｃは、データストリームを受信し、データストリームを処理し、処理の結果をテストシステム３０５に折り返し報告し得る。何らかのエラーまたは予想外の結果がある場合、テストシステム３０５は、ＵＥ１１５−ｃがテストに失敗したと決定し得る。同様に、エラーがなく、ＵＥ１１５−ｃが予想される結果を折り返し報告する場合、テストシステム３０５は、ＵＥ１１５−ｃがこれらのＤ２Ｄ通信に関係するテストに合格したと決定し得る。
【００４１】
[0050]図４は、本開示の様々な態様による、別のテストネットワーク４００のブロック図を示す。この例では、Ｄ２Ｄ対応ＵＥ１１５−ｄは、ＵＥ１１５−ｄ処理層が異なるＤ２Ｄ通信チャネルを適切に受信し、処理することを検証するために、テストされ得る。図４のテストネットワーク４００は、図１または図２に関して説明したワイヤレス通信システム１００または２００などのワイヤレス通信システムにおいてＵＥ１１５−ｄをテストし、適切な動作を検証するために実施され得る。ＵＥ１１５−ｃは、図１または図２のＵＥ１１５の一例であり得る。図４のテストネットワーク４００は、図３のテストネットワーク３００の一例であり得る。この例では、ＵＥ１１５−ｄは、様々なＤ２Ｄ通信シナリオの動作をシミュレートするために、図３のテストシステム３０５の一例であり得るテストシステム３０５−ａと、物理ケーブル３１０−ａ（図３の物理ケーブル３１０の一例であり得る）とを使用してテストされ得る。そのようなテスト機能のために物理ケーブル３１０−ａが示され説明されているが、テストシステム３０５−ａとＵＥ１１５−ｄとの間の通信が、ワイヤレス通信を介して（たとえば、セルラー通信、近距離通信、または任意の他の適切なワイヤレス通信を介して）行われ得ることを容易に理解されよう。
【００４２】
[0051]ＵＥ１１５−ｄは、Ｌ１物理層４０５、Ｌ２媒体アクセス制御（ＭＡＣ）層４２５、Ｌ２無線リンク制御（ＲＬＣ）４３５、Ｌ２パケットデータコンバージェンスプロトコル（ＰＤＣＰ）層４５０、Ｌ３無線リソース制御（ＲＲＣ）層４５６、非アクセス層（ＮＡＳ）：ＥＰＳモビリティ管理（ＥＭＭ）／ＥＰＳセッション管理（ＥＳＭ）層４６０、およびＬ３テスト制御層４６５を含む、当技術分野で知られているようないくつかの物理層および論理層を含み得る。この例のＵＥ１１５−ｄは、いくつかのＰｒｏＳｅパケットカウンタ４７５を含み得るＵＥテストループ機能４７０も含み得る。Ｌ１物理層４０５は、ケーブル３０１−ａを介してテストシステム３０５−ａから通信を受信し、受信信号の物理的処理を提供し、制御信号４５４、専用制御チャネル（ＤＣＣＨ）４１０、ＰＳＳＣＨ４１２、ＰＳＢＣＨ４１４、ＰＳＤＣＨ４１６、およびＰＳＣＣＨ４２０を出力し得る。ＤＣＣＨ４１０、ＰＳＳＣＨ４１２、ＰＳＢＣＨ４１４、およびＰＳＤＣＨ４１６は、Ｌ２  ＭＡＣ層４２５に提供され得、Ｌ２  ＭＡＣ層４２５は、ＤＣＣＨ４２６、ＳＬ−ＳＣＨ４２８、ＳＬ−ＢＣＨ４３２、およびＳＬ−ＤＣＨ４３０を出力し得る。Ｌ２  ＲＬＣ層４３５は、ＳＴＣＨ４４０を出力し得る非確認応答モード（ＵＭ）機能４３６と、ＳＢＣＨ４４５を出力し得る透過モード（ＴＭ）機能４３８とを含み得る。Ｌ２  ＲＬＣ層は、ＤＣＣＨ４４２も出力し得る。ＤＣＣＨ４１０およびＳＴＣＨ４４０は、Ｌ２  ＰＤＣＰ層４５２に提供され得、そしてそれは、ＰＳＳＣＨ４１２のＰＤＣＰ  ＳＤＵ４５５を出力し得、ＤＣＣＨ４１０をＬ３  ＲＲＣ層４５６に提供し得る。Ｌ３  ＲＲＣ層４５６は、ＤＣＣＨ４１０をＮＡＳ：ＥＭＭ／ＥＳＭ４６０に提供し得、また、制御信号４５７をＬ３テスト制御機能４６５に出力し得る。Ｌ３テスト制御４６５は、制御信号４６７をＵＥテストループ機能４７０に提供し得る。上述のように、ＵＥテストループ機能４７０は、ＰＳＳＣＨパケットカウンタ４８０と、ＰＳＢＣＨパケットカウンタ４８５と、ＰＳＤＣＨパケットカウンタ４９０と、ＰＳＣＣＨパケットカウンタ４９５とを含むＰｒｏＳｅパケットカウンタ４７５を含み得る。
【００４３】
[0052]いくつかの例では、テストシステム３０５は、テスト制御層４６５を介して、Ｅ−ＵＴＲＡモードの間にＵＥ１１５−ｄにおいてＵＥテストループ機能を開始するためのクローズドＵＥテストループモード手順を開始し得るシステムシミュレータを含み得る。様々な例では、ＵＥ１１５−ｄは、発見（たとえば、ＰＳＤＣＨ通信）および直接通信（たとえば、ＰＳＣＣＨ、ＰＳＳＣＨ、ＰＳＢＣＨ通信）の２つのテストループモードをサポートし得る。テスト制御層４６５におけるクローズＵＥテストループメッセージの受信時に、ＰｒｏＳｅ直接発見またはＰｒｏＳｅ直接通信に対応するテストループモードが選択された場合、ＵＥ１１５−ｄは、対応するＰｒｏＳｅパケットカウンタ４７５を０に初期化し、各カウンタに関連付けられたチャネルについて受信されたデータに基づいて各カウンタをインクリメントし得る。たとえば、ＰＳＤＣＨパケットカウンタ４９０は、Ｌ２  ＭＡＣ層４２５からＳＬ−ＤＣＨ４３０を介してＭＡＣサービスデータユニット（ＳＤＵ）を受信し得る。いくつかの例では、ＰＳＤＣＨパケットカウンタ４９０は、Ｌ２  ＭＡＣ層４２５を介して受信された各ＰＳＤＣＨパケットについてインクリメントされる単一のパケットカウンタを含み得る。他の例では、ＰＳＤＣＨパケットカウンタ４９０は、ＵＥによってサポートされる１つまたは複数の同時発見プロセスに対応するようにインデックスが付けられた複数のパケットカウンタを含み得る。たとえば、カウンタの数は、ＵＥ１１５−ｄによってサポートされる同時発見プロセスの最大数（たとえば、ＵＥ能力に応じて５０または４００）と同じとすることができる。
【００４４】
[0053]いくつかの例では、ＰＳＳＣＨパケットカウンタ４８０は、同様に単一のパケットカウンタであってもよく、または、ＵＥ１１５−ｄによってサポートされる同時のＰＳＳＣＨプロセスの数に対応することができる複数のパケットのカウンタを含んでいてもよい。いくつかの例では、複数のＰＳＳＣＨカウンタは、たとえば、以下のトリプレット、すなわち２４ビットのＬ２ソースＩＤ、２４ビットのＬ２宛先ＩＤ、５ビットの論理チャネルＩＤ（ＬＣＩＤ）のうちの一部または全部によってインデックスが付けられるなど、特定のＰＳＳＣＨプロセスを識別するために、インデックスが付けられてもよい。同様に、ＰＳＣＣＨパケットカウンタ４９５は、単一のパケットカウンタであってもよく、または８ビットのＳＡ  Ｌ１  ＩＤ（Ｌ２宛先ＩＤの最下位８ビットと同じ）のうちの一部または全部によってインデックスが付けられるなど、特定のＰＳＣＣＨプロセスを識別するために、インデックスが付けられ、維持される複数のカウンタのパケットを含んでいてもよい。いくつかの例では、ＰＳＢＣＨパケットカウンタ４８５は、単一のパケットカウンタであり得る。他の例では、別々のＰＳＣＣＨパケットカウンタ４９５およびＰＳＳＣＨパケットカウンタ４８０が単一のカウンタに結合され得、テストシステム３０５−ａは、ジョイントカウンタを使用してＰＳＣＣＨとＰＳＳＣＨ（制御およびデータ）のジョイント性能を測定することができる。テストシステム３０５−ａは、さらに、いくつかの例では、ＰＳＣＣＨおよびＰＳＳＣＨの性能を個々に評価するために、ＰＳＣＣＨおよびＰＳＳＣＨの移行について異なるチャネルコンディションを使用し得る。
【００４５】
[0054]ＵＥテストループ機能４７０を開始した後、ＵＥ１１５−ｄは、対応するパケットを受信すると、適切なＰｒｏＳｅパケットカウンタ４７５をインクリメントし得る。たとえば、受信されたＰＳＤＣＨ通信では、ＳＬ−ＤＣＨ  ＭＡＣ  ＳＤＵ４３０の受信に成功すると、ＵＥテストループ機能４７０は、いくつかの例では、ＰＳＤＣＨパケットカウンタ４９０を１だけインクリメントし得る。ＰＳＤＣＨパケットカウンタ４９０における複数のカウンタを使用する例では、ＵＥテストループ機能４７０は、ＰＳＤＣＨパケットカウンタ４９０内の正しいカウンタにインデックスを付けるためにＰＤＳＣＨプロセスに関連付けられた識別情報（たとえば、受信された「ＰｒｏＳｅ  Ａｐｐ  Ｃｏｄｅ」）を使用し、そのカウンタを１だけインクリメントし得る。例では、受信されたＰＳＳＣＨ通信の場合、ＳＴＣＨ  ＰＤＣＰ  ＳＤＵの受信に成功すると、ＵＥテストループ機能４７０は、ＰＳＳＣＨパケットカウンタ４８０を１だけインクリメントし得る。ＰＳＳＣＨパケットカウンタ４８０における複数のカウンタを使用する例では、ＵＥテストループ機能４７０は、ＰＳＳＣＨパケットカウンタ４８０内の正しいカウンタにインデックスを付けるためにＰＳＳＣＨプロセスに関連付けられた識別情報（たとえば、２４ビットのＬ２ソースＩＤ、２４ビットのＬ２宛先ＩＤのビット、または５ビットのＬＣＩＤの受信されたトリプレットのうちのすべてまたはポート）を使用し、そのカウンタを１だけインクリメントし得る。
【００４６】
[0055]いくつかの例では、受信されたＰＳＣＣＨ通信の場合、ＰＳＣＣＨ４２０トランスポートブロックの受信に成功すると、ＵＥテストループ機能４７０は、ＰＳＣＣＨパケットカウンタ４９５を１だけインクリメントし得る。ＰＳＣＣＨパケットカウンタ４９５における複数のカウンタを使用する例では、ＵＥテストループ機能４７０は、ＰＳＣＣＨパケットカウンタ４９５内の正しいカウンタにインデックスを付けるためにＰＳＣＣＨプロセスに関連付けられた識別情報（たとえば、受信された８ビットのＬ１  ＳＡ  ＩＤ）を使用し、そのカウンタを１だけインクリメントし得る。いくつかの例では、受信されたＰＳＢＣＨ通信の場合、ＳＢＣＨ４４５  ＲＬＣ  ＳＤＵの受信に成功すると、ＵＥテストループ機能４７０は、ＰＳＢＣＨパケットカウンタ４８５を１だけインクリメントし得る。
【００４７】
[0056]上述したように、テストシステム３０５−ａは、ＵＥ１１５−ｄにおいてＵＥテストループ機能４７０を閉じることによって、Ｄ２Ｄ通信チャネルについての適合性テストを実行し得る。テストシステム３０５−ａは、ＵＥ１１５−ｄテストを非アクティブにするために、ＵＥテストループ機能４７０を開き得る。テストが完了すると、テストシステム３０５−ａは、ＵＥ１１５−ｄがテストに合格したかどうかを決定するために、テスト結果を評価し得る。いくつかの例では、テストシステム３０５−ａは、ＰｒｏＳｅパケットカウンタ４７５のカウンタ４８０〜４９５に関連付けられた値を報告するようＵＥに要求するための要求メッセージを送り得る。いくつかの例では、要求メッセージは、カウンタ値が要求されるＰｒｏＳｅチャネルも含み得る。テストシステム３０５−ａからの要求の受信時に、ＵＥ１１５−ｄは、要求されたようにＰｒｏＳｅパケットカウンタ４７５のパケットカウンタ値で応答し得る。ＵＥ１１５−ｄはまた、カウンタ４８０〜４９５のうちの１つまたは複数が複数のインデックス付きカウンタを含むいくつかの例では、報告されたカウンタごとのカウンタインデックスと、カウンタインデックスとカウンタに関連付けられたプロセスの関連する識別情報（たとえば、ＰｒｏＳｅ  ａｐｐコード；Ｌ２ソースＩＤ、Ｌ２宛先ＩＤ、ＬＣＩＤのトリプレット；Ｌ１  ＳＡ  ＩＤ）との間のマッピングとを提供し得る。他の例では、テストシステム３０５−ａは、特定のチャネルおよび特定の目的のためにパケットカウンタを報告するようＵＥ１１５−ｄに要求し得る。たとえば、テストシステム３０５−ａは、ＰＳＤＣＨについて、特定の「ＰｒｏＳｅ  Ａｐｐ  Ｃｏｄｅ」またはＰｒｏＳｅ  Ａｐｐ  Ｃｏｄｅに対するインデックスに固有のカウンタを要求し得る。他の例では、テストシステム３０５−ａは、ＰＳＳＣＨについて、トリプレット（Ｌ２ソースＩＤ、Ｌ２宛先ＩＤ、ＬＣＩＤ）またはトリプレットに対するインデックスに固有のカウンタを要求し得る。同様に、テストシステム３０５−ａは、ＰＳＣＣＨについて、特定のＬ１  ＳＡ  ＩＤまたはＬ１  ＳＡ  ＩＤに対するインデックスに固有のカウンタを要求し得る。
【００４８】
[0057]図５は、本開示の様々な態様による、ワイヤレス通信における使用のためのデバイス１１５−ｅのブロック図５００を示す。デバイス１１５−ａは、図１〜図４を参照しながら説明したＵＥ１１５の１つまたは複数の態様の一例であり得る。デバイス１１５−ｅは、受信機モジュール５０５、Ｄ２Ｄチャネルテストモジュール５１０、および／または送信機モジュール５１５を含み得る。デバイス１１５−ｅはまた、プロセッサであり得るか、またはプロセッサを含み得る（図示せず）。これらのモジュールの各々は互いに通信していることがある。
【００４９】
[0058]デバイス１１５−ｅの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００５０】
[0059]受信機モジュール５０５は、パケット、ユーザデータ、および／または様々な情報チャネル（たとえば、制御チャネル、データチャネル、テストシステムテスト信号など）に関連付けられた制御情報などの情報を受信し得る。受信機モジュール５０５は、テストシステムから、１つまたは複数のプロトコルとの適合を検証するためにテストされ得る、Ｄ２Ｄ近接サービス通信チャネルに関連付けられた情報を含むメッセージを受信し得る。受信機モジュール５０５はまた、情報を含むかまたは場合によっては近接サービス通信に関連する信号、たとえば、発見信号、通信などをワイヤレス基地局からまたはＤ２Ｄ通信を介して異なるＵＥから受信し得る。情報は、Ｄ２Ｄチャネルテストモジュール５１０に、およびデバイス１１５−ｅの他の構成要素に受け渡され得る。
【００５１】
[0060]Ｄ２Ｄチャネルテストモジュール５１０は、デバイス１１５−ｅのＤ２Ｄ近接サービステスト機能を管理し得る。Ｄ２Ｄチャネルテストモジュール５１０は、特定のＤ２Ｄチャネルに関連付けられたＴＢまたはＳＤＵを識別し、閉ループテストモードにあるとき、たとえば図１〜図４に関して上記で説明したような方法で、識別されたＴＢまたはＳＤＵに関連付けられた１つまたは複数のカウンタをインクリメントし得る。
【００５２】
[0061]送信機モジュール５１５は、デバイス１１５−ａの他の構成要素から受信された１つまたは複数の信号を送信し得る。送信機モジュール５１５は、たとえば、図１０４に関して上記で説明したように、カウンタ値およびカウンタインデックスなどのテスト情報をテストシステムに送信し得る。送信機モジュール５１５はまた、デバイス１１５−ａのワイヤレス送信を処理し得、たとえば、サービングセルにメッセージを送り得る。送信機モジュール５１５はまた、近接サービス通信のためのＤ２Ｄ通信を介して異なるデバイスに信号を送り得る。いくつかの例では、送信機モジュール５１５は、トランシーバモジュールの中で受信機モジュール５０５と一緒に置かれてよい。
【００５３】
[0062]図６は、様々な例による、ワイヤレス通信において使用するためのデバイス１１５−ｆのブロック図６００を示す。デバイス１１５−ｆは、図１〜図４を参照しながら説明したＵＥ１１５のうちの１つまたは複数の態様の一例であり得る。またデバイス１１５−ｆは、図５に関して説明したデバイス１１５−ｅの一例であってよい。デバイス１１５−ｆは、受信機モジュール５０５−ａ、Ｄ２Ｄチャネルテストモジュール５１０−ａ、および／または送信機モジュール５１５−ａを含み得、これらはデバイス１１５−ｅの対応するモジュールの例であり得る。デバイス１１５−ｆはまた、プロセッサを含み得る（図示せず）。これらの構成要素の各々は、互いに通信していることがある。Ｄ２Ｄチャネルテストモジュール５１０−ａは、カウンタモジュール６０５と、テスト報告モジュール６１０とを含み得る。受信機モジュール５０５−ａおよび送信機モジュール５１５−ａは、それぞれ、図５の受信機モジュール５０５および送信機モジュール５１５の機能を実行し得る。
【００５４】
[0063]デバイス１１５−ｆの構成要素は、ハードウェアにおいて適用可能な機能の一部または全部を実施するように適応された１つまたは複数の特定用途向け集積回路（ＡＳＩＣ）を使用して、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００５５】
[0064]カウンタモジュール６０５は、図１〜図４に関して上記で説明したのと同様の方法で、異なる近接サービスチャネルに関連付けられたＴＢまたはＳＤＵをカウントする態様を管理し得る。テスト報告モジュール６１０は、図１〜図４に関して上記で説明したのと同様の方法で、カウンタモジュール６０５の１つまたは複数の異なるカウンタの値についてのテストシステム要求に応答する態様を管理し得る。たとえば、テスト報告モジュール６１０は、カウンタモジュール６０５と協働して、閉ループテストルーチン中に蓄積された特定のＤ２Ｄチャネルに関係するカウンタ情報を提供し得る。
【００５６】
[0065]図７は、様々な例による、ワイヤレス通信において使用するためのデバイス１１５−ｇのブロック図７００を示す。デバイス１１５−ｇは、図１〜図４を参照しながら説明したＵＥ１１５の１つまたは複数の態様の一例であり得る。デバイス１１５−ｇは、図５および図６を参照しながら説明したデバイス１１５−ｅおよび／またはデバイス１１５−ｆの一例でもあり得る。デバイス１１５−ｇは、デバイス１１５−ｅおよび／または１１５−ｆの対応するモジュールの例であり得る、受信機モジュール５０５−ｂ、Ｄ２Ｄチャネルテストモジュール５１０−ｂ、および／または送信機モジュール５１５−ｂを含み得る。デバイス１１５−ｇはまた、プロセッサを含み得る（図示せず）。これらの構成要素の各々は、互いに通信していることがある。Ｄ２Ｄチャネルテストモジュール５１０−ｂは、カウンタモジュール６０５−ａと、テスト報告モジュール６１０−ａとを含み得る。受信機モジュール５０５−ｂおよび送信機モジュール５１５−ｂは、それぞれ、図５または図６の受信機モジュール５０５および送信機モジュール５１５の機能を実行し得る。
【００５７】
[0066]デバイス１１５−ｇの構成要素は、ハードウェアにおいて適用可能な機能の一部または全部を実施するように適応された１つまたは複数の特定用途向け集積回路（ＡＳＩＣ）を使用して、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００５８】
[0067]カウンタモジュール６０５−ａは、Ｄ２Ｄチャネルカウンタモジュール７０５とインデクシングモジュール７１０とを含み得、図２〜図４に関して上記で説明したのと同様に、Ｄ２Ｄチャネルに関連付けられたカウンタ、およびテストされるチャネルの特定のプロセスを識別するための関連するインデックスを維持する態様を管理し得る。インデクシングモジュール７１０は、図２〜図４に関して上記で説明したように、チャネルの１つまたは複数のプロセス識別情報を有するチャネルのための特定のカウンタのインデックスを維持し得る。
【００５９】
[0068]テスト報告モジュール６１０−ａは、報告要求モジュール７１５と、カウンタマッピングモジュール７２０と、報告送信モジュール７２５とを含み得、カウンタ情報を報告する要求を受信し、カウンタとカウンタに関連付けられたＤ２Ｄチャネルプロセスとの間のマッピングを識別し、受信された要求に応答してカウンタ情報を報告する態様を管理し得る。報告要求モジュール７１５は、たとえば、図２〜図４に関して上記で説明したような方法で、カウンタモジュール６０５−ａのうちの１つまたは複数のカウンタの値を提供するための、テストシステムからの要求を受信し得る。カウンタマッピングモジュールは、図２〜図４に関して上記で説明したように、特定のＤ２Ｄチャネルのためのカウンタが関連する複数のカウンタを有する場合に、カウンタとカウンタに関連付けられたＤ２Ｄチャネルプロセスとの間のマッピングを識別し得る。報告送信モジュール７２５は、図２〜図４に関して上記で説明された方法で、要求された報告をテストシステムに送信し得る。
【００６０】
[0069]図８に、様々な例による、ワイヤレス通信において使用するためのシステム８００を示す。システム８００は、図１〜図４のＵＥ１１５の一例であり得るＵＥ１１５−ｈを含み得る。ＵＥ１１５−ｈは、図５、図６、および／または図７のデバイス１１５の１つまたは複数の態様の一例でもあり得る。
【００６１】
[0070]ＵＥ１１５−ｈは、概して、通信を送信するための構成要素と通信を受信するための構成要素とを含む、双方向音声およびデータ通信のための構成要素を含み得る。ＵＥ１１５−ｈは、アンテナ８４０と、トランシーバモジュール８３５と、プロセッサモジュール８０５と、メモリ８１５（ソフトウェア（ＳＷ）８２０を含む）とを含み得、その各々は、（たとえば、１つまたは複数のバス８４５を介して）互いに直接または間接的に通信し得る。トランシーバモジュール８３５は、上記で説明したように、（１つまたは複数の）アンテナ８４０および／あるいは１つまたは複数のワイヤードまたはワイヤレスリンク１２５を介して、１つまたは複数のネットワークまたはテストシステム３０５−ｂと双方向に通信し得る。たとえば、トランシーバモジュール８３５は、基地局１０５−ｃ、他のＵＥ１１５−ｉおよび／または図３もしくは図４のテストシステム３０５と双方向に通信し得る。トランシーバモジュール８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｈは単一のアンテナ８４０を含み得るが、ＵＥ１１５−ｈは、たとえば、キャリアアグリゲーション技法を介して、複数のワイヤレス送信を同時に送信および／または受信することが可能な複数のアンテナ８４０を有し得る。トランシーバモジュール８３５は、複数のコンポーネントキャリアを介して１つまたは複数の基地局１０５と同時に通信することが可能であり得る。ＵＥ１１５−ｈは、図５、図６、または図７のデバイス１１５のＤ２Ｄチャネルテストモジュール５１０について上記で説明した機能を実行し得る、チャネルテストモジュール８１０を含み得る。
【００６２】
[0071]メモリ８１５は、ランダムアクセスメモリ（ＲＡＭ）と、読取り専用メモリ（ＲＯＭ）とを含み得る。メモリ８１５は、実行されたとき、本明細書で説明する様々な機能（たとえば、Ｄ２ＤチャネルのＴＢまたはＳＤＵを識別し、カウンタをインクリメントし、要求されるとカウンタ値を報告する）をプロセッサモジュール８０５に実行させる命令を含んでいるコンピュータ可読、コンピュータ実行可能ソフトウェア／ファームウェアコード８２０を記憶し得る。代替的に、コンピュータ可読、コンピュータ実行可能ソフトウェア／ファームウェアコード８２０は、プロセッサモジュール８０５によって直接的に実行可能でないことがあるが、（たとえば、コンパイルされ、実行されたとき）本明細書で説明する機能をコンピュータに実行させ得る。プロセッサモジュール８０５は、インテリジェントハードウェアデバイス、たとえば、中央処理ユニット（ＣＰＵ）、マイクロコントローラ、特定用途向け集積回路（ＡＳＩＣ）などを含み得る。
【００６３】
[0072]図９は、本開示の様々な態様による、ワイヤレス通信ＵＥの性能テストのための方法９００の一例を示すフローチャートである。明確にするために、方法９００について、図１、図２、図３、図４、または図８を参照しながら説明したＵＥのうちの１つまたは複数の態様、および／あるいは図５、図６、または図７を参照しながら説明したデバイスのうちの１つまたは複数の態様を参照しながら以下で説明する。いくつかの例では、ＵＥは、以下で説明される機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【００６４】
[0073]ブロック９０５において、方法９００は、上記のように、ＵＥにおいて１つまたは複数のデータチャネルの受信がテストされるべきであることを示すテストアクティブ化メッセージを受信することを含み得る。ブロック９０５における動作は、たとえば、図４のＬ３テスト制御４６５、図５〜図７のＤ２Ｄチャネルテストモジュール５１０、または図８のチャネルテストモジュール８１０を使用して実行され得る。
【００６５】
[0074]ブロック９１０において、方法９００は、上記のように、テストアクティブ化メッセージの受信に応答してテストモードを開始することを含み得る。ブロック９１０における動作は、たとえば、図４のＬ３テスト制御４６５およびＵＥテストループ機能４７０、図５〜図７のＤ２Ｄチャネルテストモジュール５１０、または図８のチャネルテストモジュール８１０を使用して実行され得る。
【００６６】
[0075]ブロック９１５において、方法９００は、上記のように、１つまたは複数のデータチャネルを受信することを含み得る。ブロック９１５における動作は、たとえば、図４のＬ１物理層４０５、図５〜図７の受信機５０５、または図８のトランシーバモジュール８３５および／またはアンテナ８４０を使用して実行され得る。
【００６７】
[0076]ブロック９２０において、方法９００は、上記のように、チャネルごとに、受信された１つまたは複数のデータチャネルから受信されたＴＢ、ＭＡＣ  ＳＤＵ、またはＰＤＣＰ  ＳＤＵのうちの１つまたは複数に基づいて１つまたは複数の性能メトリックを決定することを含み得る。ブロック９２０における動作は、たとえば、図４のＵＥテストループ機能４７０、図５〜図７のＤ２Ｄチャネルテストモジュール５１０、または図８のチャネルテストモジュール８１０を使用して実行され得る。
【００６８】
[0077]ブロック９２５において、方法９００は、上記のように、チャネルごとに、決定された性能メトリックのうちの１つまたは複数を報告することを含み得る。ブロック９２５における動作は、たとえば、図４のＬ３テスト制御層４６５、ＵＥテストループ機能４７０、および／またはＬ１物理層４０５、図５〜図７のＤ２Ｄチャネルテストモジュール５１０および送信機モジュール５１５、図６〜図７のテスト報告モジュール６１０、あるいは図８のチャネルテストモジュール８１０、トランシーバモジュール８３５および／またはアンテナ８４０を使用して実行され得る。
【００６９】
[0078]このようにして、方法９００はワイヤレス通信を提供し得る。方法９００は一実装形態にすぎないこと、および方法９００の動作は、他の実装形態が可能であるように、並べ替えられるかまたは場合によっては修正される場合があることに留意されたい。
【００７０】
[0079]図１０は、本開示の様々な態様による、ワイヤレス通信ＵＥの性能テストのための方法１０００の一例を示すフローチャートである。明確にするために、方法１０００について、図１、図２、図３、図４、または図８を参照しながら説明したＵＥのうちの１つまたは複数の態様、および／あるいは図５、図６、または図７を参照しながら説明したデバイスのうちの１つまたは複数の態様を参照しながら以下で説明する。いくつかの例では、ＵＥは、以下で説明される機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【００７１】
[0080]ブロック１００５において、方法１０００は、上記のように、ＵＥにおいて１つまたは複数のデータチャネルの受信がテストされるべきであることを示すテストアクティブ化メッセージを受信することを含み得る。ブロック１００５における動作は、たとえば、図４のＬ３テスト制御４６５、図５〜図７のＤ２Ｄチャネルテストモジュール５１０、または図８のチャネルテストモジュール８１０を使用して実行され得る。
【００７２】
[0081]ブロック１０１０において、方法１０００は、上記のように、データチャネルのうちの１つまたは複数に各々関連付けられた１つまたは複数のカウンタを開始することを含み得、１つまたは複数のカウンタは、関連する１つまたは複数のデータチャネル上で正常に受信されたトランスポートブロックまたはＳＤＵのカウントを維持するためのものである。ブロック１０１０における動作は、たとえば、図４のＵＥテストループ機能４７０、図５〜図７のＤ２Ｄチャネルテストモジュール５１０、図６〜図７のカウンタモジュール６０５、または図８のチャネルテストモジュール８１０を使用して実行され得る。
【００７３】
[0082]ブロック１０１５において、方法１０００は、上記のように、データチャネルのうちの１つに関連付けられた複数の別々のカウンタを開始することを含み得る。ブロック１０１５における動作は、たとえば、図４のＵＥテストループ機能４７０、図５〜図７のＤ２Ｄチャネルテストモジュール５１０、図６〜図７のカウンタモジュール６０５、または図８のチャネルテストモジュール８１０を使用して実行され得る。
【００７４】
[0083]ブロック１０２０において、方法１０００は、上記のように、ＰＳＳＣＨソースのソース識別情報、ＰＳＳＣＨ宛先の宛先識別情報、またはＬＣＩＤのうちの１つまたは複数に基づいて、複数の別々のカウンタにインデックスを付けることを含み得る。ブロック１０２０における動作は、たとえば、図４のＵＥテストループ機能４７０、図５〜図７のＤ２Ｄチャネルテストモジュール５１０、図６〜図７のカウンタモジュール６０５、図７のインデクシングモジュール７１０、または図８のチャネルテストモジュール８１０を使用して実行され得る。
【００７５】
[0084]ブロック１０２５において、方法１０００は、上記のように、チャネルごとに、テストされたデータチャネルの各々に関連付けられたカウンタに基づいて１つまたは複数の性能メトリックを決定することを含み得る。ブロック１０２５における動作は、たとえば、図４のＵＥテストループ機能４７０、図５〜図７のＤ２Ｄチャネルテストモジュール５１０、または図８のチャネルテストモジュール８１０を使用して実行され得る。
【００７６】
[0085]このようにして、方法１０００はワイヤレス通信を提供し得る。方法１０００は一実装形態にすぎないこと、および方法１０００の動作は、他の実装形態が可能であるように、並べ替えられるかまたは場合によっては修正される場合があることに留意されたい。
【００７７】
[0086]したがって、方法９００および１０００は、ワイヤレスシステムにおけるカバレージの拡張を提供し得る。方法９００および１０００は可能な実装形態を記載し、動作およびステップは、他の実装形態が可能であるように、並べ替えられるかまたは場合によっては修正される場合があることに留意されたい。いくつかの例では、方法９００および１０００のうちの２つまたはそれ以上からの態様が組み合わせられ得る。
【００７８】
[0087]本明細書に記載した技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば、互換的に使用される。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムを説明し、上記の説明の大部分においてＬＴＥ用語が使用されるが、本技法はＬＴＥ／ＬＴＥ−Ａ適用例以外に適用可能である。
【００７９】
[0088]添付の図面に関して上記に記載した発明を実施するための形態は、例を説明しており、実装され得るまたは特許請求の範囲内に入る唯一の例を表すものではない。「例」および「例示的」という用語は、この説明で使用されるとき、「例、事例、または例示として働く」ことを意味し、「好ましい」または「他の例よりも有利である」ことを意味しない。発明を実施するための形態は、説明する技法の理解を与えるための具体的な詳細を含む。ただし、これらの技法は、これらの具体的な詳細なしに実践され得る。いくつかの事例では、説明された例の概念を不明瞭にすることを回避するために、よく知られている構造および装置がブロック図の形式で示されている。
【００８０】
[0089]情報および信号は、様々な異なる技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【００８１】
[0090]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）として実装され得る。
【００８２】
[0091]本明細書で説明する機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実施され得る。機能を実施する特徴はまた、異なる物理的位置において機能の部分が実施されるように分散されることを含めて、様々な位置に物理的に配置され得る。特許請求の範囲を含めて、本明細書で使用される場合、「および／または」という用語は、２つ以上の項目の列挙中で使用されるとき、列挙された項目のうちのいずれか１つが単独で用いられ得ること、または列挙された項目のうちの２つ以上の任意の組合せが用いられ得ることを意味する。たとえば、組成が構成要素Ａ、Ｂ、および／またはＣを含んでいるものとして説明される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような選言的列挙を示す。
【００８３】
[0092]コンピュータ可読媒体は、コンピュータプログラムのある場所から別の場所への転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送もしくは記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、コンパクトディスク（ｄｉｓｃ）（ＣＤ）、レーザディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ（登録商標）ディスク（ｄｉｓｃ）を含み、ここで、ディスク（ｄｉｓｋ）は、通常、データを磁気的に再生し、一方、ディスク（ｄｉｓｃ）は、データをレーザで光学的に再生する。上記のものの組合せもコンピュータ可読媒体の範囲内に含まれる。
【００８４】
[0093]本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ワイヤレス通信ユーザ機器（ＵＥ）デバイスの性能テストのための方法であって、
前記ＵＥにおいて１つまたは複数のデータチャネルの受信がテストされるべきであることを示すテストアクティブ化メッセージを受信することと、
前記テストアクティブ化メッセージの受信に応答してテストモードを開始することと、
前記１つまたは複数のデータチャネルを受信することと、
チャネルごとに、前記受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定することと、
チャネルごとに、前記決定された性能メトリックのうちの１つまたは複数を報告することと
を備える方法。
［Ｃ２］
前記受信されたＳＤＵが、媒体アクセス制御（ＭＡＣ）ＳＤＵ、無線リンク制御（ＲＬＣ）ＳＤＵ、またはパケットデータコンバージェンスプロトコル（ＰＤＣＰ）ＳＤＵのうちの１つもしくは複数を備える、Ｃ１に記載の方法。
［Ｃ３］
前記テストアクティブ化メッセージが、１つまたは複数のデバイス間（Ｄ２Ｄ）チャネルの前記テストモードを開始するためのＤ２Ｄテストアクティブ化メッセージである、Ｃ２に記載の方法。
［Ｃ４］
前記１つまたは複数のＤ２Ｄチャネルが、物理サイドリンク発見チャネル（ＰＳＤＣＨ）、物理サイドリンク共有チャネル（ＰＳＳＣＨ）、物理サイドリンク制御チャネル（ＰＳＣＣＨ）、または物理サイドリンクブロードキャストチャネル（ＰＳＢＣＨ）のうちの１つまたは複数を備える、Ｃ３に記載の方法。
［Ｃ５］
前記１つまたは複数のデータチャネルが、Ｄ２Ｄデバイスの発見に関連付けられた少なくとも第１のデータチャネルと、Ｄ２Ｄデバイスとの通信に関連付けられた少なくとも第２のデータチャネルとを備える、Ｃ３に記載の方法。
［Ｃ６］
前記テストアクティブ化メッセージが、前記ＵＥに結合されたテストシステムから受信される、Ｃ１に記載の方法。
［Ｃ７］
前記テストモードを開始することが、
前記データチャネルのうちの１つまたは複数に各々関連付けられた１つまたは複数のカウンタを開始すること、前記１つまたは複数のカウンタが、前記関連する１つまたは複数のデータチャネル上で正常に受信されたトランスポートブロックまたはＳＤＵのカウントを維持するためのものである、
を備える、Ｃ１に記載の方法。
［Ｃ８］
前記１つまたは複数のカウンタが、２つ以上のデータチャネルの各々について複数の別々のカウンタを備える、Ｃ７に記載の方法。
［Ｃ９］
前記１つまたは複数のカウンタが、
第１のデータチャネルに関連付けられた第１の複数のカウンタと、前記第１の複数のカウンタが、プロセス識別情報によってインデックスが付けられる、
１つまたは複数の他のデータチャネルに関連付けられた少なくとも第２のカウンタと
を備える、Ｃ７に記載の方法。
［Ｃ１０］
前記第１の複数のカウンタの数が、前記ＵＥによってサポートされる同時発見プロセスの最大数に対応する、Ｃ９に記載の方法。
［Ｃ１１］
前記第１の複数のカウンタが、各同時発見プロセスに関連付けられたコードによってインデックスが付けられる、Ｃ１０に記載の方法。
［Ｃ１２］
前記第１の複数のカウンタの数が、前記ＵＥによってサポートされる同時物理サイドリンク制御チャネル（ＰＳＣＣＨ）プロセスの最大数に対応する、Ｃ９に記載の方法。
［Ｃ１３］
前記第１の複数のカウンタが、Ｄ２Ｄデバイスの論理グループの識別情報によってインデックスが付けられる、Ｃ１２に記載の方法。
［Ｃ１４］
前記第１の複数のカウンタの数が、前記ＵＥによってサポートされる同時物理サイドリンク共有チャネル（ＰＳＳＣＨ）プロセスの最大数に対応する、Ｃ９に記載の方法。
［Ｃ１５］
前記第１の複数のカウンタが、ＰＳＳＣＨソースのソース識別情報、ＰＳＳＣＨ宛先の宛先識別情報、または論理チャネル識別情報（ＬＣＩＤ）のうちの１つまたは複数によってインデックスが付けられる、Ｃ１４に記載の方法。
［Ｃ１６］
前記第２のカウンタが、物理サイドリンクブロードキャストチャネル（ＰＳＢＣＨ）に関連付けられる、Ｃ９に記載の方法。
［Ｃ１７］
１つまたは複数の性能メトリックを前記決定することが、
前記関連するデータチャネル上の正常に受信されたトランスポートブロックまたはＳＤＵごとに、各それぞれのデータチャネルに関連付けられた前記１つまたは複数のカウンタのカウンタをインクリメントすること
を備える、Ｃ７に記載の方法。
［Ｃ１８］
前記性能メトリックのうちの１つまたは複数を報告することが、
前記１つまたは複数のカウンタのうちの要求されたカウンタについてのカウンタ情報を報告する要求を受信することと、
前記報告する要求の受信に応答してカウンタ情報の報告を送信することと、前記カウンタ情報の前記報告が、前記要求されたカウンタに関連付けられた第１の複数のカウンタの各々についての情報と、前記第１の複数のカウンタのカウンタとプロセス識別情報との間のマッピングとを備える、
を備える、Ｃ７に記載の方法。
［Ｃ１９］
ワイヤレス通信ユーザ機器（ＵＥ）デバイスの性能テストのための装置であって、
前記ＵＥにおいて１つまたは複数のデータチャネルの受信がテストされるべきであることを示すテストアクティブ化メッセージを受信するための手段と、
前記テストアクティブ化メッセージの受信に応答してテストモードを開始するための手段と、
前記１つまたは複数のデータチャネルを受信するための手段と、
チャネルごとに、前記受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定するための手段と、
チャネルごとに、前記決定された性能メトリックのうちの１つまたは複数を報告するための手段と
を備える装置。
［Ｃ２０］
前記テストモードを開始するための前記手段が、前記データチャネルのうちの１つまたは複数に各々関連付けられた１つまたは複数のカウンタを開始し、前記１つまたは複数のカウンタが、前記関連する１つまたは複数のデータチャネル上で正常に受信されたトランスポートブロックまたはＳＤＵのカウントを維持するためのものである、Ｃ１９に記載の装置。
［Ｃ２１］
前記１つまたは複数のカウンタが、２つ以上のデータチャネルの各々について複数の別々のカウンタを備える、Ｃ２０に記載の装置。
［Ｃ２２］
前記１つまたは複数のカウンタが、
第１のデータチャネルに関連付けられた第１の複数のカウンタと、前記第１の複数のカウンタが、プロセス識別情報によってインデックスが付けられる、
１つまたは複数の他のデータチャネルに関連付けられた少なくとも第２のカウンタと
を備える、Ｃ２０に記載の装置。
［Ｃ２３］
１つまたは複数の性能メトリックを決定する前記手段が、前記関連するデータチャネル上の正常に受信されたトランスポートブロックまたはＳＤＵごとに、各それぞれのデータチャネルに関連付けられた前記１つまたは複数のカウンタのカウンタをインクリメントする、Ｃ２０に記載の装置。
［Ｃ２４］
前記性能メトリックのうちの１つまたは複数を報告するための前記手段が、前記１つまたは複数のカウンタの要求されたカウンタのカウンタ情報を報告する要求を受信し、前記報告する要求の受信に応答してカウンタ情報の報告を送信する、Ｃ２０に記載の装置。
［Ｃ２５］
ワイヤレス通信ユーザ機器（ＵＥ）デバイスの性能テストのための装置であって、
プロセッサと、
前記プロセッサと電子通信しているメモリと、
前記メモリに記憶された命令とを備え、ここにおいて、前記命令が、前記プロセッサによって、
前記ＵＥにおいて１つまたは複数のデータチャネルの受信がテストされるべきであることを示すテストアクティブ化メッセージを受信し、
前記テストアクティブ化メッセージの受信に応答してテストモードを開始し、
前記１つまたは複数のデータチャネルを受信し、
チャネルごとに前記受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定し、
チャネルごとに前記決定された性能メトリックのうちの１つまたは複数を報告する
ために実行可能である
装置。
［Ｃ２６］
前記受信されたＳＤＵが、媒体アクセス制御（ＭＡＣ）ＳＤＵ、無線リンク制御（ＲＬＣ）ＳＤＵ、またはパケットデータコンバージェンスプロトコル（ＰＤＣＰ）ＳＤＵのうちの１つもしくは複数を備える、Ｃ２５に記載の装置。
［Ｃ２７］
前記テストアクティブ化メッセージが、１つまたは複数のデバイス間（Ｄ２Ｄ）チャネルの前記テストモードを開始するためのＤ２Ｄテストアクティブ化メッセージである、Ｃ２６に記載の装置。
［Ｃ２８］
前記１つまたは複数のＤ２Ｄチャネルが、物理サイドリンク発見チャネル（ＰＳＤＣＨ）、物理サイドリンク共有チャネル（ＰＳＳＣＨ）、物理サイドリンク制御チャネル（ＰＳＣＣＨ）、または物理サイドリンクブロードキャストチャネル（ＰＳＢＣＨ）のうちの１つまたは複数を備える、Ｃ２７に記載の装置。
［Ｃ２９］
前記１つまたは複数のデータチャネルが、Ｄ２Ｄデバイスの発見に関連付けられた少なくとも第１のデータチャネルと、Ｄ２Ｄデバイスとの通信に関連付けられた少なくとも第２のデータチャネルとを備える、Ｃ２７に記載の装置。
［Ｃ３０］
ワイヤレス通信ユーザ機器（ＵＥ）デバイスを性能テストするためのコードを記憶する非一時的コンピュータ可読媒体であって、前記コードが、
前記ＵＥにおいて１つまたは複数のデータチャネルの受信がテストされるべきであることを示すテストアクティブ化メッセージを受信し、
前記テストアクティブ化メッセージの受信に応答してテストモードを開始し、
前記１つまたは複数のデータチャネルを受信し、
チャネルごとに、前記受信された１つまたは複数のデータチャネルから受信されたトランスポートブロック（ＴＢ）または受信されたサービスデータユニット（ＳＤＵ）のうちの１つまたは複数に基づいて１つまたは複数の性能メトリックを決定し、
チャネルごとに、前記決定された性能メトリックのうちの１つまたは複数を報告する
ために実行可能である命令を備える
非一時的コンピュータ可読媒体。
【図１】
0006698678.tif 000002
【図２】
0006698678.tif 000003
【図３】
0006698678.tif 000004
【図４】
0006698678.tif 000005
【図５】
0006698678.tif 000006
【図６】
0006698678.tif 000007
【図７】
0006698678.tif 000008
【図８】
0006698678.tif 000009
【図９】
0006698678.tif 000010
【図１０】
0006698678.tif 000011